(57)【要約】【課題】１つの媒体で複数種類のコンテンツを提供することにより消費者への商品の訴求力を高めることが可能なカレンダー冊子、及びカレンダー冊子を利用したコンテンツ提供方法およびシステムを提供する。【解決手段】複数のカレンダー用紙からなるカレンダー冊子であって、各カレンダー用紙には、電子メールのアドレスであるメールアドレス１ａと、冊子ＩＤ１ｂが掲載されている。メールアドレス１ａは、カレンダーの種別ごとに異なり、また、各カレンダー用紙ごとに異なるように印刷されており、冊子ＩＤ１ｂは、各カレンダー冊子ごとに異なるように印刷されている。カレンダー冊子の購入者は、メールアドレスを利用して電子メールを送信することによりコンテンツ提供サーバのＵＲＬを得て、ＵＲＬを利用してコンテンツ提供サーバからコンテンツを取得することができる。【選択図】  図１
2004174855.tif 000002
【特許請求の範囲】
【請求項１】
複数のカレンダー用紙からなるカレンダー冊子であって、
各カレンダー用紙には、各カレンダー用紙ごとに異なるメールアドレスと、各カレンダー冊子ごとに異なる冊子ＩＤが掲載されていることを特徴とするカレンダー冊子。
【請求項２】
複数のカレンダー用紙からなるカレンダー冊子であって、
各カレンダー用紙には、各カレンダー用紙に共通のメールアドレスと、各カレンダー冊子ごとに異なる冊子ＩＤが掲載されていることを特徴とするカレンダー冊子。
【請求項３】
前記メールアドレスおよび冊子ＩＤの両方、もしくはどちらか一方をカレンダー用紙から切離すためのミシン目が設けられていることを特徴とする請求項１または請求項２に記載のカレンダー冊子。
【請求項４】
カレンダー用紙に掲載されたメールアドレスを利用してアクセスしてきた端末装置に対して、カレンダー用紙に掲載されている内容に関連したコンテンツの提供を行う方法であって、
端末装置から、カレンダー用紙に記載されているメールアドレス宛に、カレンダー用紙に記載されている冊子ＩＤの情報を付加した電子メールを送信する段階と、
利用者の認証を行う認証サーバが、受け取った電子メールのメールアドレスと冊子ＩＤの組合せで認証を行った後、メールアドレス別に対応付けて記録されたＵＲＬを前記端末装置に送信する段階と、
受け取ったＵＲＬを利用して、前記端末装置からコンテンツを保有しているコンテンツ提供サーバにアクセスする段階と、
コンテンツ提供サーバから前記カレンダー冊子に掲載されている内容と関連するコンテンツを前記端末装置に提供する段階と、
を有することを特徴とするコンテンツ提供方法。
【請求項５】
前記コンテンツを提供する段階は、各ＵＲＬに応じたコンテンツの提供回数が所定の回数以内となるように制限を行うようにしていることを特徴とする請求項４に記載のコンテンツ提供方法。
【請求項６】
利用者が利用する端末装置と、コンテンツ提供者側の認証サーバと、コンテンツを提供するためのコンテンツ提供サーバがネットワークを介して接続され、カレンダー用紙に掲載された情報を利用して、カレンダー用紙に掲載されている内容に関連したコンテンツの提供を行うシステムであって、
前記認証サーバは、前記カレンダー用紙に掲載されたメールアドレスと冊子ＩＤおよびコンテンツ提供サーバ内のＵＲＬの対応関係を記録したメールアドレスデータベースと、端末装置からの電子メールのメールアドレスと冊子ＩＤにより利用者の認証を行う認証手段と、正当に認証が行われた端末装置に当該メールアドレスに対応するＵＲＬを送信するＵＲＬ送信手段を有しており、
前記コンテンツ提供サーバは、前記ＵＲＬとコンテンツを対応付けて記録したコンテンツデータベースと、前記端末装置からの指示に基づいて、アクセスに利用されたＵＲＬに対応するコンテンツを送信するコンテンツ送信手段を有することを特徴とするコンテンツ提供システム。
【請求項７】
前記コンテンツ提供サーバにおけるコンテンツ送信手段は、各ＵＲＬに応じたコンテンツ送信の回数を制限する機能を有することを特徴とする請求項６に記載のコンテンツ提供システム。
【発明の詳細な説明】
【０００１】
【産業上の利用分野】
本発明は、紙等の実媒体であるカレンダーと、ネットワークを連動させてコンテンツを提供するための方法およびシステムに関するものである。
【０００２】
【従来の技術】
近年、アクセス先のメールアドレスまたはＵＲＬと、ユニークなＩＤを記載した紙媒体等を配布し、その紙媒体を入手した者が、ネットワーク上の所定のサイトにアクセスして所定のコンテンツを入手することが行われている。
【０００３】
【発明が解決しようとする課題】
しかしながら、上記従来の手法では、１つの媒体に１つのアドレスしか記載されておらず、コンテンツの提供を受けるのも１種類に限定されてしまっている。このため、消費者に対する訴求力が弱いという問題がある。
【０００４】
上記のような点に鑑み、本発明は、１つの媒体で複数種類のコンテンツを提供することにより消費者への商品の訴求力を高めることが可能なカレンダー冊子、及びカレンダー冊子を利用したコンテンツ提供方法およびシステムを提供することを課題とする。
【０００５】
【課題を解決するための手段】
上記課題を解決するため、本発明では、複数のカレンダー用紙からなるカレンダー冊子を、各カレンダー用紙に、各カレンダー用紙ごとに異なるメールアドレスと、各カレンダー冊子ごとに異なる冊子ＩＤを掲載した構成としたことを特徴とする。
【０００６】
本発明のカレンダー冊子によれば、ネットワークを介してコンテンツ提供サービスにアクセスしてコンテンツの提供を受ける場合に、各カレンダー用紙ごとに異なるメールアドレスを掲載しておくことにより、カレンダー用紙に掲載されている月数に応じて、例えば、一ヶ月単位、二ヶ月単位でアクセス先を変更することができ、カレンダー用紙が変わるタイミングで異なるコンテンツを提供することができる。また、各カレンダー冊子ごとに異なる冊子ＩＤを掲載するようにしたので、アクセスしてきた者がカレンダーの入手者であるかどうかの確認を行うことができる。
【０００７】
また、本発明では、端末装置から、カレンダー冊子に掲載されたメールアドレスを利用してネットワーク上のコンピュータにアクセスして、カレンダー冊子に掲載されている情報に関連したコンテンツの提供を受けるにあたり、カレンダー冊子に記載されているメールアドレス宛に、カレンダー冊子に記載されている冊子ＩＤの情報を付加した電子メールを送信する段階、前記メールサーバが、受け取った電子メールのメールアドレスと冊子ＩＤの組合せで認証を行った後、メールアドレス別に対応付けて記録されたコンテンツの提供を受けるためのＵＲＬを前記端末装置に送信する段階、受信したＵＲＬを利用して、前記端末装置からコンテンツを提供しているサイトにアクセスする段階、コンテンツ提供サーバから前記カレンダー冊子に掲載されている内容と関連するコンテンツを前記端末装置に提供する段階を実行するようにしたことを特徴とする。
【０００８】
本発明によれば、カレンダー冊子に掲載されているメールアドレスおよび冊子ＩＤを利用してネットワークにアクセスし、利用者認証を行った後、ＵＲＬを受取り、このＵＲＬを利用してコンテンツを提供しているサイトにアクセスしてきた際に、そのＵＲＬに対応したコンテンツを提供するようにしたので、カレンダー用紙の変化に応じたコンテンツの提供が可能となる。
【０００９】
【発明の実施の形態】
以下、本発明の好適な実施形態について、図面を参照して詳細に説明する。
（カレンダー冊子）
まず、本発明に係るカレンダー冊子について説明する。カレンダー冊子は、通常複数のカレンダー用紙で構成されている。カレンダー用紙１枚に一ヶ月分が掲載されていれば、カレンダー冊子は１２枚のカレンダー用紙で構成され、カレンダー用紙１枚に二ヶ月分が掲載されていれば、カレンダー冊子は６枚のカレンダー用紙で構成される。さらに、表紙が別の構成であれば、１枚増えることになる。また、１年分を１枚のカレンダー用紙に掲載する場合は、１枚のカレンダー用紙がカレンダー冊子を構成することになる。図１に、本発明によるカレンダー冊子を構成するカレンダー用紙の一例を示す。図１に示すカレンダー用紙は、１枚に二ヶ月分が掲載された構成となっている。図１において、１はカレンダー用紙、１ａはメールアドレス、１ｂは冊子ＩＤ、１ｃはミシン目、１ｄは絵柄、１ｅは月日印刷部である。絵柄１ｄ、月日印刷部１ｅは、通常のカレンダーと同様のものであり、絵柄１ｄとしては、図案化されたものや写真画像等が用いられる。また、月日印刷部１ｅは、図１においては、簡略化されて示されているが、各日付が曜日ごとに列をそろえて表記されている。
【００１０】
メールアドレス１ａは、コンテンツを提供する業者が用意した認証サーバ１０にアクセスするための電子メールアドレスであり、カレンダー冊子の製品種別ごとに異なるメールアドレスが印刷されている。本実施形態では、各カレンダー用紙１には、異なるメールアドレス１ａが印刷されている。１月、２月分のカレンダー用紙と、３月、４月分のカレンダー用紙〜１１月、１２月分のカレンダー用紙までの全６枚には６つのメールアドレスが掲載されていることになる。このようにカレンダー用紙別に異なるメールアドレスを印刷しておくことにより、カレンダー用紙が切り替わるタイミングで提供されるコンテンツも異なることになる。なお、図１の例では、「ａ＠△△△．ｊｐ」という同一のメールアドレスが印刷されているが、この「△△△」の部分は、携帯電話機のキーで操作が最小となるａ、ｄ、ｍ、ｐ等の文字を使用すれば携帯電話を利用する人の負担を減らすことができる。冊子ＩＤ１ｂは、認証サーバにアクセスする際に、利用者権限を確認するためのＩＤであり、カレンダー冊子１部ごとに異なるＩＤが印刷されている。本実施形態では、各カレンダー用紙１には、同一の冊子ＩＤ１ｂが印刷されている。すなわち、図１に示すように、１月、２月分のカレンダー用紙だけでなく、３月、４月分のカレンダー用紙〜１１月、１２月分のカレンダー用紙までの全６枚のカレンダー用紙に「１２３４５」という冊子ＩＤが印刷されることになる。なお、図１の例では、冊子ＩＤが「１２３４５」となっており、数字のみで構成されているが、英字のみ、あるいは英字と数字の組合せであっても構わない。
【００１１】
ミシン目１ｃは、メールアドレス１ａおよび冊子ＩＤ１ｂをカレンダー用紙から切離すためのものである。メールアドレス１ａおよび冊子ＩＤ１ｂを切離すのは、メールアドレス１ａおよび冊子ＩＤ１ｂを携帯して、いつでも携帯端末等からコンテンツ提供元にアクセスしてコンテンツを得ることができるようにするためである。そのため、メールアドレス１ａおよび冊子ＩＤ１ｂのカレンダー用紙からの分離は、ミシン目で切離すことに限定されず、シール等の上に、メールアドレス１ａおよび冊子ＩＤ１ｂを印刷しておき、シールを剥がして携帯できるようにしても良い。
【００１２】
また、図示してはいないが、カレンダー用紙の一部には、このメールアドレスおよび冊子ＩＤの利用法が掲載されている。利用法としては、例えば、「本カレンダーのメールアドレス宛に、冊子ＩＤをタイトルとした電子メールを送信して下さい。」というようなものである。このような利用法は、カレンダーの表紙がある場合には、カレンダーの表紙に掲載しておいても良い。
【００１３】
（システム構成）
次に、本発明に係るコンテンツ提供システムについて説明する。図２は、本発明に係るコンテンツ提供システムの一実施形態を示す構成図である。図２において、１０は認証サーバ、１１はメールアドレスＤＢ（データベース）、２０はコンテンツ提供サーバ、２１はコンテンツＤＢ（データベース）、３０は端末装置、４０はインターネット等のネットワークである。
【００１４】
認証サーバ１０は、コンテンツの提供業者側が用意した認証のためのサーバコンピュータであり、カレンダー冊子に掲載されている全てのメールアドレスに対応するメールボックスを用意して、電子メールの送受信を行うメールサーバとしての機能も有している。メールアドレスＤＢ１１は、メールアドレス、冊子ＩＤ、ＵＲＬの対応関係を記録したデータベースであり、認証サーバ１０により管理されている。コンテンツ提供サーバ２０は、コンテンツの提供を行うためのサーバコンピュータであり、ＷＷＷサーバおよびアプリケーションサーバとしての機能を備えている。コンテンツ提供サーバ２０は、ＷＷＷサーバとしての機能において、端末装置３０とのデータの送受信を行い、アプリケーションサーバとしての機能において、具体的なコンテンツ提供のための処理が実行されることになる。コンテンツＤＢ２１は、ＵＲＬとコンテンツの対応関係を記録したデータベースであり、コンテンツ提供サーバ２０により管理されている。
【００１５】
端末装置３０は電子メール機能、ＷＷＷブラウザ機能を搭載したパーソナルコンピュータ、携帯電話、ＰＤＡ（Ｐｅｒｓｏｎａｌ  Ｄｉｇｉｔａｌ  Ａｓｓｉｓｔａｎｔ：携帯情報端末）等の端末装置で実現される。ネットワーク４０は、データの送受信を可能としたネットワークであり、有線・無線を問わない。現実には、インターネット網、携帯電話会社の通信網等を接続して実現されるが、このような通信技術は周知のものであるので、ここでは、ネットワーク４０として一まとめにしておき、詳細な説明は省略する。
【００１６】
なお、メールアドレスＤＢ１１、コンテンツＤＢ２１は、ハードディスク等の外部記憶装置で実現され、各サーバからの制御によりデータの読み書きが可能となっている。ここで、メールアドレスＤＢ１１、コンテンツＤＢ２１に記録された情報について説明しておく。図３は、メールアドレスＤＢ１１に記録された情報の一例を示す図である。図３に示すようにメールアドレスＤＢ１１には、カレンダー冊子の種別およびカレンダー用紙ごとに設定されたメールアドレスと、カレンダー冊子の種別ごとに用意されたコンテンツを得るためのサイトのＵＲＬと、カレンダー冊子ごとに設定された冊子ＩＤが対応付けて記録されている。図３に示すように、本実施形態では、メールアドレスとＵＲＬは１対１で対応しており、各メールアドレス、ＵＲＬには、複数の冊子ＩＤが対応付けられている。なお、図３に示した各情報は、カレンダー用紙ごとに用意されており、カレンダー用紙が切り替わるタイミングで別のものが用意されることになる。
【００１７】
図４は、コンテンツＤＢ２１に記録された情報の一例を示す図である。図４に示すようにコンテンツＤＢ２１には、コンテンツ、ＵＲＬ、利用可能回数が対応付けて記録されている。図４におけるＵＲＬには、カレンダー冊子の種別ごとのサイトのＵＲＬの最後尾に冊子ＩＤが追加されたものとなっている。また、図４の例では、コンテンツとしてコンテンツの名称で示してあるが、実際には、コンテンツＤＢ２１内におけるコンテンツの記録アドレスが対応付けられており、コンテンツデータの抽出が可能となっている。
【００１８】
また、本実施形態では、認証サーバ１０は、メールサーバ機能と認証サーバ機能を備えた構成となっており、コンテンツ提供サーバ２０は、ＷＷＷサーバおよびアプリケーションサーバを備えた構成となっているが、物理的には、それぞれが１台のコンピュータであっても複数台のコンピュータであっても良い。また、認証サーバ１０とコンテンツ提供サーバ２０を物理的に１台のコンピュータとすることも可能である。
【００１９】
（処理の概要）
次に、本発明に係るコンテンツ提供方法を、図２に示したシステムの処理動作と共に説明する。図５は、本発明のコンテンツ提供方法の概要を示すフローチャートである。まず、カレンダー冊子を購入した人は、カレンダー用紙に掲載されている冊子ＩＤをタイトルとした電子メールを作成し、カレンダー用紙に掲載されているメールアドレスを宛先として送信する（ステップＳ１）。ここでは、ある自動車レースである「○○レース」に関するカレンダー冊子を利用するものとする。ここで作成される電子メールの一例を図６に示す。図６に示すように電子メールのヘッダーには、宛先「Ｔｏ：」に、図１のカレンダー用紙に掲載されたメールアドレスが入力され、タイトル「Ｓｕｂｊｅｃｔ：」に、図１のカレンダー用紙に掲載された冊子ＩＤが入力される。また、本文は、認証サーバ１０側では無視するので、利用者は入力する必要はない。
【００２０】
端末装置３０において送信指示された電子メールは、端末装置３０からネットワーク４０上に設置された利用者側のメールサーバ（図示せず）を経由して認証サーバ１０に送信されることになる。例えば、携帯電話を利用する場合は、携帯電話会社のメールサーバ、ゲートウェイを介して、認証サーバ１０に届く。送信された電子メールは、宛先で指定されたメールアドレスに対応したメールボックスに届く。認証サーバ１０は、届いた電子メールの宛先からメールアドレス、タイトルから冊子ＩＤを抽出する。カレンダー冊子に掲載されたメールアドレスは、本サービス専用に用意しているため、電子メールの本文については、一切無視する。続いて、メールサーバ１０は、抽出したメールアドレスおよび冊子ＩＤを用いてメールアドレスＤＢ１１を参照し、対応するＵＲＬを抽出する。そして、各カレンダー種別、すなわちメールアドレス別に、あらかじめ用意されている定型文に、抽出したＵＲＬを埋め込んで、確認メールを作成する。さらに、送られてきた電子メールの送信元「Ｆｒｏｍ：」に記載されているメールアドレス宛に確認メールを送信する。これにより、ネットワーク４０を介して端末装置３０側に確認メールが届き、ＵＲＬが通知されることになる（ステップＳ２）。このとき、端末装置３０側で表示される確認メールの一例を図７に示す。図７に示すように認証サーバ２０からの確認メールには、○○レースのカレンダーに対応した定型文が表示されていると共に、コンテンツのダウンロード用のＵＲＬが表示されている。なお、このＵＲＬはカレンダーの種別ごとに用意された画面の記録位置を示すＵＲＬに、冊子ＩＤをパラメータとして加えたものとなっている。
【００２１】
続いて、端末装置３０側では、確認メール内に示されたＵＲＬを指定してコンテンツ提供サーバ２０にアクセスする（ステップＳ３）。すると、コンテンツ提供サーバ２０では、アクセスしてきたＵＲＬに対応する画面を端末装置３０に提示する。すなわち、カレンダー種別に対応した画面が提示されることになる。ここで、端末装置３０に表示される画面の一例を図８に示す。図８に示すように、コンテンツ提供画面には、タイトル、案内文のあとに、提供可能な複数のコンテンツが一覧表示されている。ここでは、「壁紙カレンダー」「ムービー」「サウンド」の３つのコンテンツがダウンロード可能となっている。これらのコンテンツはいずれも○○レースに関連した画像、動画、音声等を含んだものになっている。利用者が、いずれかのコンテンツを指定すると、コンテンツの選択情報がコンテンツ提供サーバ２０に送信される（ステップＳ４）。
【００２２】
コンテンツ提供サーバ２０は、コンテンツの選択情報を受け取ると、選択されたコンテンツに対応するコンテンツが利用可能であるかどうかを確認する（ステップＳ５）。具体的には、選択されたコンテンツの利用可能回数を参照する。利用可能回数が０であれば、コンテンツの提供はできないので、コンテンツは既に所定回数分ダウンロードされた旨の情報を端末装置３０側に通知して、コンテンツ提供に関わる手続を終了する。
【００２３】
一方、コンテンツＤＢ２１内の利用可能回数が１以上であれば、対応するコンテンツを利用者に提供する（ステップＳ６）。具体的には、コンテンツＤＢ２１からコンテンツデータを抽出し、端末装置３０に送信する。また、提供したコンテンツに対応する、コンテンツＤＢ２１内の利用可能回数を１つ減じる処理も行う。
【００２４】
以上、本発明の好適な実施形態について説明したが、本発明は上記実施形態に限定されず、種々の変形が可能である。例えば、上記実施形態では、カレンダー用紙の切り替わりに応じて提供するコンテンツを変更するようにしたが、２ヶ月用のカレンダー用紙に２つの月別メールアドレスを用意しておき、毎月コンテンツを変更するようにしても良い。また、全カレンダー用紙に同一のメールアドレスを付与しておき、コンテンツ提供サーバ側で所定のタイミングで提供するコンテンツを切替えるようにしても良い。
【００２５】
上記実施形態では、自動車レースに関するカレンダー冊子を販売する場合について説明したが、例えば、ミュージシャンのカレンダーである場合は、コンテンツとして、そのミュージシャンの出演番組情報、コンサート情報、ビデオクリップ等の関連するものを用意しておくことになる。
【００２６】
【発明の効果】
以上、説明したように本発明によれば、複数のカレンダー用紙からなるカレンダー冊子を、各カレンダー用紙に、各カレンダー用紙ごとに異なる電子メールアドレスと、各カレンダー冊子ごとに異なる冊子ＩＤを掲載した構成とし、このカレンダー冊子に記載されているメールアドレス宛に、カレンダー冊子に記載されている冊子ＩＤの情報を付加した電子メールを送信し、認証サーバが、受け取った電子メールのメールアドレスと冊子ＩＤの組合せで認証を行った後、メールアドレス別に対応付けて記録されたコンテンツの提供を受けるためのＵＲＬを端末装置に送信し、受信したＵＲＬを利用して、端末装置からコンテンツを提供しているサイトにアクセスし、コンテンツ提供サーバからカレンダー冊子に掲載されている内容と関連するコンテンツを端末装置に提供するようにしたので、１つのカレンダーで複数種類のコンテンツを提供することにより消費者への商品の訴求力を高めることが可能となり、カレンダー冊子の魅力が高まるという効果を奏する。しかも、カレンダー冊子を構成するカレンダー用紙の切り替わりに応じてコンテンツが切り替わるため、消費者の購買意欲を高める効果も有する。
【図面の簡単な説明】
【図１】本発明のカレンダー冊子を構成するカレンダー用紙の一例を示す図である。
【図２】本発明に係るコンテンツ提供システムの構成図である。
【図３】メールアドレスＤＢ１１に記録された情報の一例を示す図である。
【図４】コンテンツＤＢ２１に記録された情報の一例を示す図である。
【図５】本発明のコンテンツ提供方法の概要を示すフローチャートである。
【図６】端末装置３０から認証サーバ１０に送信される電子メールの一例を示す図である。
【図７】認証サーバ１０から端末装置３０に送信される電子メールの一例を示す図である。
【図８】端末装置３０に表示されるコンテンツ提供画面の一例を示す図である。
【符号の説明】
１・・・カレンダー用紙
１ａ・・・メールアドレス
１ｂ・・・冊子ＩＤ
１ｃ・・・ミシン目
１ｄ・・・絵柄
１ｅ・・・月日印刷部
１０・・・認証サーバ
１１・・・メールアドレスＤＢ（データベース）
２０・・・コンテンツ提供サーバ
２１・・・コンテンツＤＢ（データベース）
３０・・・端末装置
４０・・・ネットワーク
【図１】
2004174855.tif 000003
【図２】
2004174855.tif 000004
【図３】
2004174855.tif 000005
【図４】
2004174855.tif 000006
【図５】
2004174855.tif 000007
【図６】
2004174855.tif 000008
【図７】
2004174855.tif 000009
【図８】
2004174855.tif 000010